(57)【要約】【課題】覗き窓が設けられた鏡体収容部の筒体と、連接可能な容器形式としたオブジェクトケースを構成して、オブジェクトの選択自由度を極大化することにより多種多彩な映像を実現させる万華鏡を提供する。【解決手段】  鏡面が内側に向けて三角形に配置された三角鏡体を収容する筒状の筒体を設け、該筒体の後端部に覗き窓が形成されると共に、透明な筒状のオブジェクトケースを設け、該オブジェクトケースの端部と該筒体の前端部が接合可能な接合手段により接合し、さらに該オブジェクトケースの前端部および後端部が接合可能な接合手段を形成して、該オブジェクトケースの連接および分離する複数の該オブジェクトケースにより、段数変化自在の該オブジェクトケース部を構成する。【選択図】図４
2011242735.tif 000002
【特許請求の範囲】
【請求項１】
鏡面が内側に向けて三角形状に配置された三角鏡体を収容する筒状の筒体を設け、該筒体の後端部には覗き窓が形成されることを備えた万華鏡において、透明材で筒状のオブジェクトケースの前端部および後端部に接合可能な接合手段による構造を設け、該オブジェクトケースの端部と該筒体の前端部が、接合可能な接合手段によって着脱自在に接合されることを特徴とする万華鏡。
【請求項２】
該オブジェクトケースの前端部および後端部が接合可能な接合手段によって、複数の該オブジェクトケースの連接および分離により該オブジェクトケースの段数変化自在に接合してなる、複数の該オブジェクトケースが設けられたことを特徴とする請求項１記載の万華鏡。
【発明の詳細な説明】
【技術分野】
【０００１】  本発明は、鏡体が収容された筒体とオブジェクトケースが着脱自在であると共に、段数変化自在で連接可能なオブジェクトケースにより、収容するオブジェクトの選択自由度が大となり、多種多彩な映像を見ることができるようにした万華鏡に関する。
【背景技術】
【０００２】  より綺麗な色彩の映像美を追求して、近年ではオブジェクトやオブジェクトケースに、新技術を実施した万華鏡が開発されている。【０００３】  その例として、特許文献１の万華鏡は、オブジェクトケース内のオブジェクトの厚みをチャンバー内寸の１／２以上として、オブジェクトどうしが重ならないようにしたり、オブジェクトの幅をチャンバー内寸より大とさせオブジェクトが反転しないようにして、オブジェクトが持つ色彩美を損なうことなく表現したものである。【０００４】  ところが、このような特許文献１の万華鏡において、複数のオブジェクトが重なったり詰まったりすることはないが、オブジェクトケースに密閉されて収納されている限りオブジェクトの数や種類は有限であり、それによって形成される色彩模様も巨視的な視点からみれば、有限といわざるをえない。【０００５】  したがって、限界のある色彩模様では、オブジェクトケース内で成立する映像には一定の配色パターンや色彩傾向の偏りがあり、万華鏡から映像化させる色彩美を十二分に発揮するには限界が見られる。
【先行技術文献】
【特許文献】
【０００６】
【特許文献１】  特開２００８−１７６２５１公報
【発明の概要】
【０００７】  本発明は、このような従来の問題点に着目してなされたものであり、オブジェクトケース内のオブジェクトを該オブジェクトケースに収納できる大きさに限定される制約はあるが、該オブジェクトの対象物には、あらゆるものを簡単に収納および交換できるように選択自由度を極大化する。
【０００８】  よって、無限にあるとも考えられる数や種類のオブジェクトの組み合わせやオブジェクトケースの連接により、多種多彩な映像が見られる万華鏡を提供することを目的とする。
【０００９】  上記の目的を達成するために、本発明の請求項１の万華鏡は、鏡面が内側に向けて配置された三角鏡体を収容する筒状の筒体を設け、該筒体の後端部には覗き窓が形成されたことを備えた万華鏡において、透明材の筒状のオブジェクトケースの前端部および後端部に接合可能な接合手段による構造を設け、該オブジェクトケースの端部と該筒体の前端部が接合可能な接合手段によって着脱自在に接合されることを特徴とする。
【００１０】  さらに、本発明の請求項２の万華鏡は、請求項１において、該オブジェクトケースの端部が前記接合可能な接合手段によって、複数の該オブジェクトケースの連接により該オブジェクトケースの段数変化自在に接合してなる、複数の該オブジェクトケースが設けられたことを特徴とする。
【００１１】  従来の万華鏡のオブジェクトに使われている対象物には、彩色ガラス片や彩色プラスチック片の無機物がほとんどであり、これらの組み合わせからなる幾何学的な彩色美を見て楽しんでいるのが現状である。
【発明の効果】
【００１２】  本発明では、オブジェクトケースが容器の形式を取っているので、オブジェクトの対象物の一つである従来の彩色ガラス片や彩色プラスチック片を、自由にかつ容易に、収容および交換して組み合わせることができる利便性がある。【００１３】  従来のチェンバー式万華鏡やオイルワンド式万華鏡のように、密閉されたオブジェクトケースからオブジェクトが交換不可能であったが、本発明では、オブジェクトケース内のオブジェクトを、その場でオブジェクトケース外に取り出して、自由に組み合わせたり除去したりすることによって、これまでの万華鏡の映像では考えられなかった、より多彩でより深深とした彩色美を楽しむことができ、さらに自由に選択したオブジェクトで、空の状態であるオブジェクトケース収容後の映像を推測することによって、とくに成長過程の子どもの想像力、発想力を高める効力もある。【００１４】  オブジェクトケースに収容でき、該オブジェクトケース内で動かせる大きさの物品であること以外の制約を本発明のオブジェクトは受けないので、考えられる彩色ガラス片や彩色プラスチック片の無機物、有機物など全ての物品をオブジェクトケースに収容して、従来では考えられなかった無限に近い彩色美を楽しむことが可能となる。【００１５】  有機物の一例の植物を挙げると、四季ごとに咲く、赤、青、紫、橙、ピンク色の花びらや青や緑の葉などの適切な小片を、配色を考慮しながら取捨選択してオブジェクトケースに収納し万華鏡を覗けば、従来では体験できなかった有機物独特の、幾何学的ではあるが目に優しくやわらかな極彩色の世界が展開される。【００１６】  上記の使用法をすると、視神経を通して脳細胞にやわらかな刺激を与えることができるので、現代人のストレス緩和によって脳細胞の癒し効果やうつ、老齢者の認知症防止に役立てることが考えられる。【００１７】  本発明の請求項２の万華鏡では、透明なオブジェクトケースの段数変化自在の連接ができるので、個々のオブジェクトケースに収納したオブジェクトの一方向からの連なりで形成される映像が視覚的に可能であり、重なることも詰まることもなく、より複雑でより緻密な彩色美を見て楽しむことができるが、オブジェクトケースの側面からの採光の加減によって、オブジェクトの陰影の変化も見られるので、万華鏡の楽しみ方に新たな展開を見出すことができる。
【図面の簡単な説明】
【００１８】
【図１】  本発明による実施例１の万華鏡の分解斜視図
【図２】  同実施例１の万華鏡の組立てた状態の全体斜視図
【図３】  同実施例１の万華鏡の図２におけるＡ−Ａ線断面図
【図４】  同実施例２の万華鏡の分解斜視図
【図５】  同実施例２の万華鏡の組立てた状態の全体斜視図
【図６】  同実施例３の万華鏡の分解斜視図
【図７】  同実施例３の万華鏡の組立てた状態の全体斜視図
【図８】  同実施例３の万華鏡の図７におけるＢ−Ｂ線断面図
【図９】  同実施例４の万華鏡の分解斜視図
【図１０】  同実施例４の万華鏡の組立てた状態の全体斜視図
【図１１】  同実施例５の万華鏡のオブジェクトケース部の分解斜視図
【図１２】  同実施例６の万華鏡のオブジェクトケース部の分解斜視図
【図１３】  同実施例６の万華鏡の組立てた状態の全体斜視図
【図１４】  同実施例７の万華鏡の分解斜視図
【図１５】  同実施例７の万華鏡の組立てた状態の全体斜視図
【発明を実施するための形態】
【実施例１】
【００１９】  本発明の実施例１の形態を図１、図２、図３に基づいて説明する。【００２０】  本発明による万華鏡１ａは、図１に示すように、キャップ３、筒体４、三角鏡体５、オブジェクトケースアダプター６ａにより形成される鏡体収容部と、オブジェクトケース７ａ、蓋８ａにより形成されるオブジェクトケース部を、接合することによって構成されている。【００２１】  ここで実施例１では、容器状であるオブジェクトケース７ａの開口部のある側を上端部とし、オブジェクトケース７ａの凹型形状の底部のある側を下端部と定義する。【００２２】  さらに実施例１では、筒状であるオブジェクトケースアダプター６ａが筒体４に嵌合される側を下端部とし、オブジェクトケース７ａの下端部と接合する側を上端部と定義する。【００２３】  オブジェクトケースアダプター６ａの上端部には、オブジェクトケース７ａの下端部と接合可能な接合手段によるネジ式構造が形成されているが、オブジェクトケースアダプター６ａの下端部には筒体４とほぼ同程度に穴が開けられていると共に、内面に段差がつけられているのでオブジェクトケースアダプター６ａの下端部より差し込んだ筒体４の前端部は定位で固定できるようになっている。【００２４】  該鏡体収容部は、覗き窓２が設けられたキャップ３に筒体４の後端部を差し込み、鏡面が内側に向けて三角形状に配置された三角鏡体５を筒体４に収容し、さらに筒体４の前端部をオブジェクトケースアダプター６ａに差し込んで形成される。【００２５】  上記の三角鏡体５は、幅の狭い長尺の板状鏡面の３枚を長辺側が夫々接するように、内側に向けて三角形状に配置させ、該三角形状を保持できるように固定したものである。【００２６】  該オブジェクトケース部は、オブジェクトケース７ａに蓋８ａを接合可能な接合手段により接合することによって構成されるが、実施例１ではネジ式構造とする。【００２７】  図２は、本発明の実施例１の万華鏡の組立てた状態の全体斜視図であるが、そのＡ−Ａ線断面図の図３で示すように、本発明の万華鏡１ａの映像を見て楽しむためには、透明材によるオブジェクトケース７ａの、蓋８ａを開けてオブジェクト９ａ、９ｂを収容して後、蓋８ａを閉めて使用する。【００２８】  従来のチェンバー式万華鏡では、覗き窓のある端面と反対方向からの採光により、オブジェクトケースに光が取り入れられ鮮明な映像を見ていたが、その採光方向からの実施形態は、オブジェクトケースの厚さが５〜１０ｍｍ相当に限られると考えられる。【００２９】  実施される本発明の万華鏡１ａのオブジェクトケースの筒面の長さは２０〜３０ｍｍ前後あるので、オブジェクトケースの端面のみの採光では光量不十分で鮮明な映像を楽しむことができないため、鮮明な映像を獲得するには、少なくともオブジェクトケースの筒面を透明材にして、万華鏡１ａの軸方向に対して直角方向から採光する形態をとらなければならない。【００３０】  蓋８ａは、より明るく鮮明な映像を希望するなら透明材を用いるが、使用時に蓋８ａから透かして見られる背景が映像美を損なうようであれば半透明材を用いてもよい。【００３１】  図３で示すように、オブジェクトケース部を構成しているオブジェクトケース７ａ、蓋８ａは、オブジ���クト９ａ、９ｂを収容した容器状なので、オブジェクトケース７ａに収容され、かつ万華鏡１ａを回動させてオブジェクト９ａ、９ｂが動くことが可能な大きさであれば、彩色プラスチック片や彩色ガラス片などの無機物のみならず、花びら片や葉片などの有機物を含めてあらゆる物品がオブジェクトの対象となることが可能である。【００３２】  本発明の実施において、オブジェクトの対象となる花びら片や葉片などの有機物を長らくオブジェクトケース内に収容しておくと、変質、腐敗、劣化などの経時変化が起こるが、その際は除去するか若しくは新鮮な有機物と交換すればよい。【００３３】  屋外で採集した花びら片や葉片などの有機物を、本発明の万華鏡１で映像化した場合、従来の万華鏡のオブジェクト対象物である彩色プラスチック片や彩色ガラス片などの無機物の映像と比べると、自然採光による、より天然色の美しくて濃厚な彩りの映像を見ることが可能である。【００３４】  図３で示すように、オブジェクトケース部のオブジェクトケース７ａ、蓋８ａは、オブジェクトケースアダプター６ａと着脱自在な構造となっているので、予め、別々のオブジェクトを収容した夫々のオブジェクトケース部のオブジェクトケース７ａ、蓋８ａをワンタッチで交換しながら万華鏡１ａの鏡体収容部と接合し、別々の配色パターンや色彩模様の映像美を楽しむことも可能である。
【実施例２】
【００３５】  次に図４、図５に基づいて、本発明の実施例２の説明をする。【００３６】  図４に示すように実施例２の説明に使用されるオブジェクトケース７ａ、７ｂ、７ｃは、実施例１で使用されたオブジェクトケース７ａと全く同一サイズ、同一構造、同一材質の同じ物品である。【００３７】  また、上記オブジェクトケース７ａ、７ｂ、７ｃの上端部は蓋８ａとも接合可能であると共に、各々、別のオブジェクトケース７ａ、７ｂ、７ｃの下端部やオブジェクトケースアダプター６ａとも接合可能な接合手段が設けられていて、ネジ式構造に互換性がある。【００３８】  換言すれば、図５で示すように同一のオブジェクトケース７ａ、７ｂ、７ｃを連接することも可能であり、オブジェクトケースどうしは夫々、密閉されたチャンバーとなりうると共に、連接されたオブジェクトケース７ａ、７ｂ、７ｃの最上段のオブジェクトケースには、蓋８ａを接合して、新たな密閉された容器状のチャンバーを形成するので、オブジェクトケースを段数変化自在に接合できる。【００３９】  さらに、連接した複数のオブジェクトケース７ａ、７ｂ、７ｃには、夫々、任意に選択したオブジェクトを自由形式で収容することができる。【００４０】  上記の実施例２の場合、夫々のオブジェクトケース７ａ、７ｂ、７ｃに収容したオブジェクトの一方向からの視点による連なりで形成される映像や、夫々のオブジェクトケース７ａ、７ｂ、７ｃの接合する順序を入れ替えることによる異なった連なりで形成される映像を、個々のオブジェクトの重なりや詰まりを問題にすることなく、万華鏡１ｂを回動させて実施例１よりさらに複雑で多種多彩な映像美を見て楽しむことが可能である。
【実施例３】
【００４１】  図６、図７、図８に基づいて、実施例３の説明をする。【００４２】  図６で示すように、本発明の万華鏡１ｃを組立てるには、鏡体収容部は実施例１と同様であるが、オブジェクトケースアダプター６ｂが内部に段差を設けられた筒体であり、透明材である内蓋１０が該段差まで差し込んで定位し、その後、三角鏡体５を収容した筒体４を嵌合させて固着する。【００４３】  内蓋１０は、オブジェクトケースアダプター６ｂのネジ式構造となっている穴部とは反対側から差し込まれることによって、オブジェクトがオブジェクトケース７ｂから筒体４へ移動しないようにチャンバーの仕切りの役目をするが、内蓋１０とオブジェクトケースアダプター６ｂは透明材を用いた一体構造としても良い。【００４４】  ここで実施例３では、容器状であるオブジェクトケース７ｄの開口部のある側を下端部とし、オブジェクトケース７ｄの凹型形状の底部のある側を上端部と定義する。【００４５】  図７、図８で示すように、筒体４が差し込まれた側と反対の側がネジ式構造となっているオブジェクトケースアダプター６ｂの上端部には、実施例１のときの接合の向きとは反対の向きになっている透明材のオブジェクトケース７ｄの下端部がネジ式構造で接合されるので、実施例３では蓋８ａを必要としない。【００４６】  よって、各種のオブジェクトが収容された複数のオブジェクトケース７ｄを予め用意しておき、ネジ式構造で接合されているオブジェクトケースアダプター６ｂから、ネジを緩めることにより短時間で着脱自在となり、該複数のオブジェクトケース７ｄの交換により、万華鏡１ｃを回動させていろいろな色彩模様の映像を見て楽しむことができる。
【実施例４】
【００４７】  図９、図１０に基づいて、実施例４の説明をする。【００４８】図９で示すように、本発明の万華鏡１を組立てるには、鏡体収容部は実施例１と同様であるが、オブジェクトケースアダプター６ｂが内部に段差を設けられた筒体であり、透明材である内蓋１０を該段差まで差し込んで定位し、その後、三角鏡体５を収容した筒体４を嵌合させて固着する。【００４９】  内蓋１０は、オブジェクトケースアダプター６ｂのネジ式構造となっている穴部とは反対側から差し込まれることによって、オブジェクトがオブジェクトケース７ｄから筒体４へ移動しないようにチャンバーの仕切りの役目をするが、内蓋１０とオブジェクトケースアダプター６ｂは透明材を用いた一体構造としても良い。【００５０】  ここで実施例４では、容器状であるオブジェクトケース７ｄの開口部のある側を下端部とし、オブジェクトケース７ｄの凹型形状の底部のある側を上端部と定義する。【００５１】  実施例４に使用されるオブジェクトケース７ｄ、７ｅ、７ｆは、実施例３で使用されたオブジェクトケース７ｄと全く同一サイズ、同一構造、同一材質の同じ物品である。【００５２】  よって図１０で示すように、本発明の実施例４の万華鏡１ｄにおいて、オブジェクトケースアダプター６ｂの上端部は、全体が同一構造であるオブジェクトケース７ｄ、７ｅ、７ｆの下端部に設けられた接合可能な接合手段の同一のネジ式構造を有しているので、オブジェクトケースアダプター６ａは、オブジェクトケース７ｄ、７ｅ、７ｆのいずれとも接合可能である。【００５３】  オブジェクトケース７ｄ、７ｅ、７ｆを連接させる構造は、実施例２の図４と同様であるが、図９にあるように、鏡体収容部から見たオブジェクトケース７ｄの開口部の向きが実施例３と同様の向きであるオブジェクトケース７ｄに、同一オブジェクトケースの７ｅ、７ｆを夫々、ネジ式構造により連接させる。【００５４】  したがって、図１０で示すように、連接されたオブジェクトケース７ｄ、７ｅ、７ｆの上部にある底板によって仕切りができ、３つのチェンバーが構成される。【００５５】  上記の実施例４の場合、夫々のオブジェクトケース７ｄ、７ｅ、７ｆに収容したオブジェクトの、一方向からの視点による連なりで形成される映像や夫々のオブジェクトケース７ｄ、７ｅ、７ｆの接合される順序を入れ替えることによって形成される映像を、個々のオブジェクトの重なりや詰まりを問題にすることなく、万華鏡１ｄを回動させて、実施例３の図７で示す単一チェンバー仕様よりさらに複雑で多種多彩な映像美を見て楽しむことが可能である。
【実施例５】
【００５６】  図１１に基づいて、実施例５の説明をする。【００５７】  これまでは接合可能な接合手段の具体例として、ネジ式構造を挙げてきたが、図１１のようなツイストロック式構造も実施できる。【００５８】  オブジェクトケースアダプター６ｃは、上端部がツイストロック構造のカギ形フックが設けられた筒体の形状をしているが、内面には段差が設けられていて、三角鏡体５が収容された筒体４をオブジェクトケースアダプター６ｃの下端部に差し込んだ後、段差の位置で固着される。【００５９】  オブジェクトケース７ｇは、透明材による容器状の形状であり、開口部のある上端部にはオブジェクトケースアダプター６ｃと同様にツイストロック構造のカギ形フックが設けられ、底の下端部は凹型形状をしていて、その内面にはツイストロック構造の突起が設けられ、ツイストロック構造のカギ形フックに対応するように形成される。【００６０】  蓋８ｂの凹部には、オブジェクトケース７ｇの上端部にあるツイストロック構造のカギ形フックに対応する、ツイストロック構造の突起が設けられていて、実施時には、オブジェクトをオブジェクトケース７ｇに収容した後、蓋８ｂを押し込んでから、ツイストロック構造の突起がツイストロック構造のカギ形フックに当たるまで若干、回すことによって蓋８ｂは固定され、オブジェクトケース７ｇにツイストロックされる。【００６１】  同様の動作によって、オブジェクトケース７ｇの下端部もオブジェクトケースアダプター６ｃの上端部に差し込んで、ロックされるまで回すことによってツイストロックされる。【００６２】  本発明の万華鏡１において接合可能な接合手段として、ネジ式構造とツイストロック式構造を挙げるが、本発明実施では両者に互換性があり、ネジ式構造の図１のオブジェクトケースアダプター６ａ、オブジェクトケース７ａ、蓋８ａと、ツイストロック式構造である図１１のオブジェクトケースアダプター６ｃ、オブジェクトケース７ｇ、蓋８ｂとも互いに接合可能な接合構造とする。【００６３】  したがって、本発明の万華鏡１の実施において、ネジ式構造の図１のオブジェクトケースアダプター６ａ、オブジェクトケース７ａ、蓋８ａと、ツイストロック式構造である図１１のオブジェクトケースアダプター６ｃ、オブジェクトケース７ｇ、蓋８ｂが混在した使用が可能であり、ワンタッチでオブジェクトケース部着脱ができるメリットが考えられる。
【実施例６】
【００６４】  図１２、図１３に基づいて、実施例６の説明をする。【００６５】  図１２で示すように、実施例６では、接合可能な接合構造を実施例５と同様、ツイストロック式構造を採用しているが、オブジェクトケース７ｇが筒体４に対して、実施例５の場合の反対の向きで接合できるように、オブジェクトケースアダプター６ｄの接合される側の内面にツイストロック式構造の突起が形成される。【００６６】  上記の実施例では、オブジェクトケース７ｇの蓋８ｂを必要としないので部品数を削減できるメリットがある。【００６７】  オブジェクトケースアダプター６ｄは、筒状をしていて内面に若干の段差が設けられ、オブジェクトケースアダプター６ｄの下端部から入る透明材の中蓋１０がその段差で定位するが、それによって、ツイストロック式構造によってオブジェクトケースアダプター６ｄの上端部から差し込まれるオブジェクトケース７ｇとの仕切りによってチェンバーが形成されるので、オブジェクトケース７ｇ内のオブジェクトが筒体側に移動することを防止する。【００６８】  内蓋１０とオブジェクトケースアダプター６ｄは、透明材を用いた一体構造としてもよい。【００６９】  図１３は、実施例６の本発明の万華鏡の組立てた状態の全体斜視図であるが、透明材のオブジェクトケース７ｇと筒体部３，４、６ｄとは、ツイストロック式構造によって、着脱自在となっている。【００７０】  上記の組立てた状態のオブジェクトケース７ｇをロックされている回転方向と反対の方向に回してロック状態を解除させ、オブジェクトケース７ｇを外してから、実施者の希望するオブジェクトをオブジェクトケース７ｇに入れ、筒体部３，４、６ｄにツイストロックさせて、万華鏡１ｅを組立てる。【００７１】  図１３の本発明の万華鏡１ｅを実施するときの採光は、万華鏡１ｅの軸方向とは直角方向からの光源によって採光するのが、より鮮明な映像を見て楽しむことができる。
【実施例７】
【００７２】  図１４、図１５に基づいて、実施例７の説明をする。【００７３】  図１４のオブジェクトケースアダプター６ｄは筒状であるが、内面に若干の段差が設けられているので、透明材の中蓋１０を入れたとき定位で固定されるが、オブジェクトケースアダプター６ｄと中蓋１０を透明材による一体構造で実施してもよい。【００７４】  上記のオブジェクトケースアダプター６ｄに筒体が差し込まれるとは反対方向の端部には、内面にツイストロック式構造の突起が設けられ、オブジェクトケース７ｇに設けてあるツイストロック式構造のカギ形フックと合致することにより、オブジェクトケースアダプター６ｄとオブジェクトケース７ｇは接合する。【００７５】  図１４で示すように、オブジェクトケース７ｇ、７ｈ、７ｉは、３者とも全く同一であり、上端部の凹部にはツイストロック式構造の突起が設けられ、下端部は開口した筒面の外面にはツイストロック式構造のカギ形フックが設けられている。【００７６】  よって、図１５のように組立て時にはオブジェクトケース７ｇ、７ｈ、７ｉは、順序や相手を問わず、お互いにツイストロックされ、段積み形式で連接の接合が可能である。【００７７】  上記のオブジェクトケース７ｇ、７ｈ、７ｉが連接されたときは、３つのチャンバーが形成されていて、夫々のチャンバー内に各々、各種の組み合わせで自由に選択したオブジェクトを入れ、万華鏡１ｆを回動させて、覗き窓２からの映像を見る。【００７８】  個々のオブジェクトケース７ｇ、７ｈ、７ｉは、ツイストロック式構造となっているので、回してロックを外す簡単な操作で、着脱自在に連接ができるメリットがある。【００７９】  上記の実施例７の場合、夫々の順不同のオブジェクトケース７ｇ、７ｈ、７ｉに収容したオブジェクトの、一方向からの視点による連なりで形成される映像を、個々のオブジェクトの重なりや詰まりを問題にすることなく、万華鏡１ｆを回動させて、実施例１、実施例３、実施例５よりさらに複雑で多種多彩な映像美を見て楽しむことが可能である。
【産業上の利用可能性】
【００８０】  従来の万華鏡では製作時にオブジェクトを密閉収容するので、有機物は酸化、腐敗などの品質劣化の問題があり使用できなかったが、本発明ではオブジェクトを容易に収容および交換ができるので、植物などの有機物のオブジェクトも使用可能になった。よって、従来では見られない未体験であった映像の世界が容易かつ飛躍的に広がり、年代層を問わずより多くの人々が楽しめることによって万華鏡の進歩が期待できる。
【符号の説明】
【００８１】１ａ  万華鏡
１ｂ  万華鏡
１ｃ  万華鏡
１ｄ  万華鏡
１ｅ  万華鏡
１ｆ  万華鏡
２    覗き窓
３    キャップ
４    筒体
５    三角鏡体
６ａ  オブジェクトケースアダプター
６ｂ  オブジェクトケースアダプター
６ｃ  オブジェクトケースアダプター
６ｄ  オブジェクトケースアダプター
７ａ  オブジェクトケース
７ｂ  オブジェクトケース
７ｃ  オブジェクトケース
７ｄ  オブジェクトケース
７ｅ  オブジェクトケース
７ｆ  オブジェクトケース
７ｇ  オブジェクトケース
７ｈ  オブジェクトケース
７ｉ  オブジェクトケース
８ａ  蓋
８ｂ  蓋
９ａ  オブジェクト
９ｂ  オブジェクト
９ｃ  オブジェクト
９ｄ  オブジェクト
１０  中蓋
【図１】
2011242735.tif 000003
【図２】
2011242735.tif 000004
【図３】
2011242735.tif 000005
【図４】
2011242735.tif 000006
【図５】
2011242735.tif 000007
【図６】
2011242735.tif 000008
【図７】
2011242735.tif 000009
【図８】
2011242735.tif 000010
【図９】
2011242735.tif 000011
【図１０】
2011242735.tif 000012
【図１１】
2011242735.tif 000013
【図１２】
2011242735.tif 000014
【図１３】
2011242735.tif 000015
【図１４】
2011242735.tif 000016
【図１５】
2011242735.tif 000017